(57)【要約】【課題】電子ビームの軌道ずれを抑制し、信頼性および表示品位の向上した画像表示装置を提供する。【解決手段】  蛍光面が形成された第１基板１０と、複数の電子放出源１８が設けられた第２基板１２とが対向して配置されている。第１および第２基板間には、第１および第２基板に作用する大気圧荷重を支持する複数のスペーサ３０が立設されている。電子放出源から放出された電子ビームの移動を補正する複数の突起３４ａ、３４ｂが第１基板側から第２基板に向かって突出して設けられ、第２基板と隙間をおいて対向している。【選択図】      図３
2006032069.tif 000002
【特許請求の範囲】
【請求項１】
蛍光面が形成された第１基板と、
前記第１基板と隙間を置いて対向配置されているとともに、前記蛍光面に向けて電子ビームを放出し前記蛍光面を励起する複数の電子放出源が設けられた第２基板と、
それぞれ前記第１基板と第２基板との間に立設され、前記第１および第２基板に作用する大気圧荷重を支持する複数のスペーサと、
前記第１基板側から第２基板に向かって突出しているとともに前記第２基板と隙間をおいて対向し、前記電子放出源から放出された電子ビームの移動を補正する複数の突起と、
を備えた画像表示装置。
【請求項２】
前記複数の突起は、前記スペーサと並んで設けられ、前記スペーサから離れた突起ほど突出高さが低く形成されている請求項１に記載の画像表示装置。
【請求項３】
前記複数の電子放出源は、第１方向に第１ピッチで並べられているとともに、第１方向と直交する第２方向に、前記第１ピッチよりも大きな第２ピッチで並んで設けられ、前記複数の突起は、前記複数の電子放出源の間で、前記第１方向に並んで設けられている請求項１又は２に記載の画像表示装置。
【請求項４】
前記複数の電子放出源は、第１方向に第１ピッチで並べられているとともに、第１方向と直交する第２方向に、前記第１ピッチよりも大きな第２ピッチで並んで設けられ、前記複数の突起は、前記複数の電子放出源の間で、前記第２方向に並んで設けられている請求項１又は２に記載の画像表示装置。
【請求項５】
前記複数の電子放出源は、第１方向に第１ピッチで並べられているとともに、第１方向と直交する第２方向に、前記第１ピッチよりも大きな第２ピッチで並んで設けられ、前記複数の突起は、前記複数の電子放出源の間で、前記第１方向および第２方向に並んで設けられている請求項１又は２に記載の画像表示装置。
【請求項６】
前記第１基板に当接した第１表面、前記第２基板と隙間を置いて対向した第２表面、および、それぞれ前記電子放出源に対向した複数の電子ビーム通過孔を有した板状の支持基板を備え、
前記スペーサおよび複数の突起は、それぞれ前記支持基板の第２表面上に立設され、前記スペーサは前記第２基板に当接した先端部を有している請求項１ないし５のいずれか１項に記載の画像表示装置。
【請求項７】
前記第１基板に対向した第１表面と、前記第２基板に対向した第２表面と、を有し、前記第１および第２基板間に配設された支持基板を備え、
前記スペーサは、それぞれ前記第１表面上に立設されているとともに前記第１基板に当接した延出端を有した複数の第１スペーサと、それぞれ前記第２表面上に立設されているとともに前記第２基板に当接した延出端を有した複数の第２スペーサと、を含み、
前記複数の突起は、前記支持基板の第２表面上に立設されている請求項１ないし５のいずれか１項に記載の画像表示装置。
【請求項８】
前記スペーサは、柱状のスペーサである請求項１ないし７のいずれか１項に記載の画像表示装置。
【発明の詳細な説明】
【技術分野】
【０００１】
この発明は、対向配置された一対の基板と、基板間に配設されたスペーサとを備えた平面型の画像表示装置に関する。
【背景技術】
【０００２】
近年、陰極線管（以下、ＣＲＴと称する）に代わる次世代の軽量、薄型の表示装置として様々な平面型の画像表示装置が注目されている。例えば、平面表示装置として機能するフィールド・エミッション・デバイス（以下、ＦＥＤと称する）の一種として、表面伝導型電子放出装置（以下、ＳＥＤと称する）の開発が進められている。
【０００３】
このＳＥＤは、所定の間隔をおいて対向配置された第１基板および第２基板を備え、これらの基板は矩形状の側壁を介して周辺部を互いに接合することにより真空外囲器を構成している。第１基板の内面には３色の蛍光体層が形成され、第２基板の内面には、蛍光体を励起する電子源として、各画素に対応する多数の電子放出素子が配列されている。各電子放出素子は、電子放出部、この電子放出部に電圧を印加する一対の電極等で構成されている。
【０００４】
前記ＳＥＤにおいて、第１基板および第２基板間の空間、すなわち真空外囲器内は、高い真空度に維持されることが重要となる。真空度が低い場合、電子放出素子の寿命、ひいては、装置の寿命が低下してしまう。また、第１基板および第２基板間に作用する大気圧荷重を支持し基板間の隙間を維持するため、両基板間には、多数の板状あるいは柱状のスペーサが配置されている（例えば、特許文献１）。ＳＥＤにおいて、画像を表示する場合、蛍光体層にアノード電圧が印加され、電子放出素子から放出された電子ビームをアノード電圧により加速して蛍光体層へ衝突させることにより、蛍光体が発光して画像を表示する。実用的な表示特性を得るためには、通常の陰極線管と同様の蛍光体を用い、アノード電圧を数ｋＶ以上望ましくは５ｋＶ以上に設定することが必要となる。
【特許文献１】特開２００１−２７２９２６号公報
【発明の開示】
【発明が解決しようとする課題】
【０００５】
上記構成のＳＥＤにおいて、電子放出素子から放出され高い加速電圧を持った電子（一次電子）が第１基板内面の蛍光体層に衝突すると、第１基板から２次電子、反射電子を含む散乱電子が発生する。また、第１基板と第２基板との間の隙間は、解像度や支持部材の特性、製造性などの観点から、１〜２ｍｍ程度と比較的小さく設定される。そのため、第１基板側で発生した散乱電子は基板間に配設されたスペーサに衝突し、スペーサが帯電する。ＳＥＤにおける加速電圧では、通常、スペーサは正に帯電する。この場合、電子放出素子から放出された電子ビームはスペーサに引き付けられ、本来の軌道からずれてしまう。その結果、蛍光体層に対して電子ビームのミスランディングが発生し、表示画像の色純度が劣化するという問題がある。
【０００６】
この発明は、以上の点に鑑みなされたもので、その目的は、電子ビームの軌道ずれを抑制し、表示品位の向上した画像表示装置を提供することにある。
【課題を解決するための手段】
【０００７】
前記目的を達成するため、この発明の態様に係る画像表示装置は、蛍光面が形成された第１基板と、前記第１基板と隙間を置いて対向配置されているとともに、前記蛍光面に向けて電子ビームを放出し前記蛍光面を励起する複数の電子放出源が設けられた第２基板と、それぞれ前記第１基板と第２基板との間に立設され、前記第１および第２基板に作用する大気圧荷重を支持する複数のスペーサと、前記第１基板側から第２基板に向かって突出しているとともに前記第２基板と隙間をおいて対向し、前記電子放出源から放出された電子ビームの移動を補正する複数の突起と、を備えている。
【発明の効果】
【０００８】
この発明によれば、スペーサと並べて複数の突起を設けることにより、スペーサの帯電に起因した電子ビームの軌道ずれを突起により補正することができ、表示品位の向上した画像表示装置を提供するができる。
【発明を実施するための最良の形態】
【０００９】
以下図面を参照しながら、この発明を、平面型画像表示装置としてＳＥＤに適用した実施の形態について詳細に説明する。  
図１ないし図３に示すように、ＳＥＤは、それぞれ矩形状のガラス板からなる第１基板１０および第２基板１２を備え、これらの基板は約１．０〜２．０ｍｍの隙間をおいて対向配置されている。第１基板１０および第２基板１２は、ガラスからなる矩形枠状の側壁１４を介して周縁部同士が接合され、内部が真空に維持された扁平な真空外囲器１５を構成している。接合部材として機能する側壁１４は、例えば、低融点ガラス、低融点金属等の封着材２０により、第１基板１０の周縁部および第２基板１２の周縁部に封着され、これらの基板同士を接合している。
【００１０】
第１基板１０の内面には蛍光面として機能する蛍光体スクリーン１６が形成されている。この蛍光体スクリーン１６は、赤、青、緑に発光する蛍光体層Ｒ、Ｇ、Ｂ、および遮光層１１を並べて構成され、これらの蛍光体層はストライプ状、ドット状あるいは矩形状に形成されている。蛍光体スクリーン１６上には、アルミニウム等からなるメタルバック１７およびゲッタ膜１９が順に形成されている。
【００１１】
第２基板１２の内面には、蛍光体スクリーン１６の蛍光体層Ｒ、Ｇ、Ｂを励起する電子放出源として、それぞれ電子ビームを放出する多数の表面伝導型の電子放出素子１８が設けられている。これらの電子放出素子１８は、画素に対応して複数列および複数行に配列されている。各電子放出素子１８は、図示しない電子放出部、この電子放出部に電圧を印加する一対の素子電極等で構成されている。第２基板１２の内面上には、電子放出素子１８に電位を供給する多数本の配線２１がマトリック状に設けられ、その端部は真空外囲器１５の外部に引出されている。
【００１２】
図２ないし図４に示すように、ＳＥＤは、第１基板１０および第２基板１２の間に配設されたスペーサ構体２２を備えている。スペーサ構体２２は、矩形状の金属板からなる支持基板２４と、支持基板の一方の表面に一体的に立設された多数の柱状のスペーサ３０と、を有している。
【００１３】
支持基板２４は蛍光体スクリーン１６とほぼ等しい大きさの矩形状に形成されている。支持基板２４は第１基板１０の内面と対向した第１表面２４ａおよび第２基板１２の内面と対向した第２表面２４ｂを有し、これらの基板と平行に配置されている。支持基板２４には、エッチング等により多数の電子ビーム通過孔２６が形成されている。電子ビーム通過孔２６は、それぞれ電子放出素子１８と対向して配列され、電子放出素子から放出された電子ビームを透過する。
【００１４】
支持基板２４は、例えば鉄−ニッケル系の金属板により厚さ０．１〜０．２５ｍｍに形成され、電子ビーム通過孔２６は、例えば、０．１５〜０．２５ｍｍ×０．１５〜０．２５ｍｍの矩形状に形成されている。支持基板２４の表面には、絶縁層として、ガラス、セラミック等を主成分とした絶縁性物質を塗布、焼成した高抵抗膜３２が形成されている。本実施形態によれば、支持基板２４の第１および第２表面２４ａ、２４ｂおよび各電子ビーム通過孔２６の内壁面は、Ｌｉ系のアルカリホウ珪酸ガラスからなる厚さ約１０μｍの高抵抗膜３２により被覆されている。支持基板２４は、第１表面２４ａが、ゲッタ膜１９、メタルバック１７、蛍光体スクリーン１６を介して、第１基板１０の内面に面接触した状態で設けられている。
【００１５】
第１基板１０および第２基板１２の長手方向を第１方向Ｘ、長手方向と直交した幅方向を第２方向Ｙとした場合、支持基板２４に設けられた電子ビーム通過孔２６は、第１方向Ｘに沿って所定の第１ピッチＰ１で配列され、また、第２方向Ｙについては、第１ピッチＰ１よりも大きな第２ピッチＰ２で配列されている。第１基板１０に形成された蛍光体スクリーン１６の蛍光体層Ｒ、Ｇ、Ｂ、および第２基板１２上の電子放出素子１８は、第１方向Ｘおよび第２方向Ｙについて、それぞれ電子ビーム通過孔２６と同一のピッチで配列され、それぞれ電子ビーム通過孔と対向している。これにより、各電子放出素子１８は、電子ビーム通過孔２６を通して、対応する蛍光体層と対向している。
【００１６】
支持基板２４の第２表面２４ｂ上にはスペーサ３０が一体的に立設され、それぞれＹ方向に並んだ電子ビーム通過孔２６間に位置している。複数のスペーサ３０は、第２方向Ｙに所定のピッチで並んで設けられているとともに、第１方向に上記所定のピッチよりも大きなピッチで並んで設けられている。スペーサ３０の延出端は、第２基板１２の内面に当接している。スペーサ３０の各々は、支持基板２４側から延出端に向かって径が小さくなった先細テーパ状に形成されている。支持基板２４の表面と平行な方向に沿ったスペーサ３０の断面は、ほぼ楕円形に形成されている。スペーサ３０の各々は、絶縁物質としてガラスを主成分とするスペーサ形成材料により形成されている。
【００１７】
支持基板２４の第２表面２４ｂ上には複数の突起が一体的に立設され、それぞれ第１基板１０側から第２基板１２に向かって突出している。複数の突起は、第１方向Ｘに沿ってスペーサ３０と並んで設けられた複数の第１突起３４ａ、および複数の第２突起３４ｂ、並びに、第２方向Ｙに沿ってスペーサ３０と並んで設けられた複数の第３突起３４ｃを含んでいる。
【００１８】
第１突起３４ａは、第１方向Ｘにおいて、各スペーサ３０の両側に並んで配置され、それぞれほぼ１画素分、つまり、第１ピッチＰ１分だけスペーサから離間して設けられている。第２突起３４ｂは、第１方向Ｘにおいて、スペーサ３０と反対側で第１突起３４ａと並んで配置されている。すなわち、スペーサ３０側から第１突起３４ａ、第２突起３４ｂの順で並んで設けられている。第１および第２突起３４ａ、３４ｂは、第２基板１２の内面と隙間をおいて対向している。第１および第２突起３４ａ、３４ｂの突出高さは、スペーサ３０の隣に位置した第１突起３４ａの方が第２突起３４ｂよりも高く形成されている。すなわち、スペーサ３０から離れた突起ほど、低く形成されている。
【００１９】
第３突起３４ｃは、第２方向Ｙにおいて、隣合うスペーサ３０間で、かつ、隣合う電子ビーム通過孔２６間に設けられている。また、第３突起３４ｃは、第２方向Ｙにおいて、スペーサ３０と等間隔離間して設けられている。第３突起３４ｃは、第２基板１２の内面と隙間をおいて対向している。  
第１ないし第３突起３４ａ、３４ｂ、３４ｃの各々は、支持基板２４側から延出端に向かって径が小さくなった先細テーパ状に形成されている。第１ないし第３突起３４ａ、３４ｂ、３４ｃは、例えば、スペーサ３０と同様に、絶縁物質としてガラスを主成分とするスペーサ形成材料により形成されている。
【００２０】
上記のように構成されたスペーサ構体２２は、支持基板２４が第１基板１０に面接触し、スペーサ３０の延出端が第２基板１２の内面に当接することにより、これらの基板に作用する大気圧荷重を支持し、基板間の間隔を所定値に維持している。
【００２１】
ＳＥＤは、第１基板１０のメタルバック１７に電圧を印加する図示しない電圧供給部を備えている。画像を表示する場合、蛍光体スクリーン１６およびメタルバック１７に１０ｋＶ程度のアノード電圧が印加され、電子放出素子１８から放出された電子ビームをアノード電圧により加速して蛍光体スクリーン１６へ衝突させる。これにより、蛍光体スクリーン１６の蛍光体層が励起されて発光し、画像を表示する。
【００２２】
上記構成のＳＥＤにおいて、高い加速電圧を持った電子が蛍光体スクリーン１６に衝突した際、第１基板１０および蛍光体スクリーンから２次電子および反射電子が発生する。蛍光体スクリーン１６で発生した２次電子および反射電子は、基板間に配設されたスペーサ３０に衝突し、その結果、スペーサが帯電する。ＳＥＤにおける加速電圧では、一般にスペーサは正に帯電する。この場合、電子放出素子から放出された電子ビームはスペーサに引き付けられる。
【００２３】
一方、蛍光体スクリーン１６で発生した２次電子および反射電子は、支持基板２４から突出した第１、第２、第３突起３４ａ、３４ｂ、３４ｃにも衝突し、その結果、これらの突起も正に帯電する。そのため、スペーサ３０近傍の電子放出素子１８から放出された電子ビームは、図５に符号Ｂ１で示すように、一旦、スペーサ３０側に引き付けられた後、図５に符号Ｂ２で示すように、第１突起３４ａに引き付けられ第１方向Ｘの軌道ずれが補正される。同時に、電子ビームは、図５に符号Ｂ３で示すように、第３突起３４ｃに引き付けられ第２方向Ｙの軌道ずれが補正される。これにより、電子ビームは、電子放出素子１８に対応する所定の電子ビーム通過孔２６を通り目標の蛍光体層に到達する。
【００２４】
また、第１および第２突起３４ａ、３４ｂの近傍に位置した電子放出素子１８から放出された電子ビームは、一旦、第１突起３４ａ側に引き付けられた後、第２突起３４ｂに引き付けられ第１方向Ｘの軌道ずれが補正される。これにより、電子ビームは、電子放出素子１８に対応する所定の電子ビーム通過孔２６を通り目標の蛍光体層に到達する。
【００２５】
以上のように、スペーサ３０の帯電に起因した電子ビームの軌道ずれを第１方向Ｘについては第１および第２突起３４ａ、３４ｂにより補正し、第２方向Ｙについては第３突起３４ｃにより補正することができる。電子ビーム軌道の補正効果、つまり、電子ビームを引き付ける度合いは、突起の突出高さが高い程、大きくなる。従って、第１ないし第３突起３４ａ、３４ｂ、３４ｃの突出高さを調整して補正の度合い最適に設定することにより、電子ビームの軌道ずれを抑制し、目標の蛍光体層にランディングさせることができる。これにより、表示画像におけるに色純度の劣化を防止し、表示品位の向上したＳＥＤが得られる。
【００２６】
次に、この発明の第２の実施形態に係るＳＥＤついて説明する。図６および図７に示すように、第２の実施形態によれば、スペーサ構体２２は、第１基板１０および第２基板１２間に配設された矩形状の金属板からなる支持基板２４と、支持基板の両面に一体的に立設された多数の柱状のスペーサと、を備えている。
【００２７】
支持基板２４は、第１基板１０の内面と対向した第１表面２４ａおよび第２基板１２の内面と対向した第２表面２４ｂを有し、これらの基板と平行に配置されている。支持基板２４には、エッチング等により多数の電子ビーム通過孔２６が形成されている。電子ビーム通過孔２６は、第１方向Ｘに第１ピッチで並んでいるとともに、第１方向と直交する第２方向Ｙに第１ピッチよりも大きな第２ピッチで並んで設けられている。電子ビーム通過孔２６は、それぞれ電子放出素子１８と対向して配列され、電子放出素子から放出された電子ビームを透過する。
【００２８】
支持基板２４は、例えば鉄−ニッケル系の金属板により厚さ０．１〜０．３ｍｍに形成されている。支持基板２４の両表面には、絶縁層として、ガラス、セラミック等を主成分とした絶縁性物質を塗布、焼成した高抵抗膜３２が形成されている。本実施形態によれば、支持基板２４の第１および第２表面２４ａ、２４ｂおよび各電子ビーム通過孔２６の内壁面は、Ｌｉ系のアルカリホウ珪酸ガラスからなる厚さ約１０μｍの高抵抗膜３２により被覆されている。
【００２９】
支持基板２４の第１表面２４ａ上には複数の第１スペーサ３０ａが一体的に立設され、それぞれ第２方向Ｙに並んだ電子ビーム通過孔２６間に位置している。複数の第１スペーサ３０ａは、第２方向Ｙに所定のピッチで並んで設けられているとともに、第１方向に上記所定のピッチよりも大きなピッチで並んで設けられている。第１スペーサ３０ａの先端は、ゲッタ膜１９、メタルバック１７、および蛍光体スクリーン１６の遮光層１１を介して第１基板１０の内面に当接している。
【００３０】
支持基板２４の第２表面２４ｂ上には複数の第２スペーサ３０ｂが一体的に立設され、それぞれＹ方向に並んだ電子ビーム通過孔２６間に位置している。複数のスペーサ３０は、第２方向Ｙに所定のピッチで並んで設けられているとともに、第１方向に上記所定のピッチよりも大きなピッチで並んで設けられている。第２スペーサ３０ｂの先端は第２基板１２の内面に当接している。
【００３１】
各第１および第２スペーサ３０ａ、３０ｂは互いに整列して位置し、支持基板２４を両面から挟み込んだ状態で支持基板２４と一体に形成されている。第１および第２スペーサ３０ａ、３０ｂの各々は、支持基板２４側から延出端に向かって径が小さくなった先細テーパ状に形成されている。第１および第２スペーサ３０ａ、３０ｂは、例えば、ほぼ楕円状の横断面形状を有している。
【００３２】
また、支持基板２４の第２表面２４ｂ上には複数の突起が一体的に立設され、それぞれ第１基板１０側から第２基板１２に向かって突出している。複数の突起は、第１方向Ｘに沿って第２スペーサ３０ｂと並んで設けられた複数の第１突起３４ａ、および複数の第２突起３４ｂ、並びに、第２方向Ｙに沿って第２スペーサ３０ｂと並んで設けられた複数の第３突起３４ｃを含んでいる。
【００３３】
第１突起３４ａは、第１方向Ｘにおいて、各第２スペーサ３０ｂの両側に並んで配置され、それぞれほぼ１画素分、つまり、第１ピッチＰ１分だけスペーサから離間して設けられている。第２突起３４ｂは、第１方向Ｘにおいて、第２スペーサ３０ｂと反対側で第１突起３４ａと並んで配置されている。すなわち、第２スペーサ３０ｂ側から第１突起３４ａ、第２突起３４ｂの順で並んで設けられている。第１および第２突起３４ａ、３４ｂは、第２基板１２の内面と隙間をおいて対向している。第１および第２突起３４ａ、３４ｂの突出高さは、第２スペーサ３０ｂの隣に位置した第１突起３４ａの方が第２突起３４ｂよりも高く形成されている。すなわち、スペーサ３０から離れた突起ほど、低く形成されている。
【００３４】
第３突起３４ｃは、第２方向Ｙにおいて、隣合う第２スペーサ３０ｂ間で、かつ、隣合う電子ビーム通過孔２６間に設けられている。また、第３突起３４ｃは、第２方向Ｙにおいて、第２スペーサ３０ｂと等間隔離間して設けられている。第３突起３４ｃは、第２基板１２の内面と隙間をおいて対向している。  
第１ないし第３突起３４ａ、３４ｂ、３４ｃの各々は、支持基板２４側から延出端に向かって径が小さくなった先細テーパ状に形成されている。第１ないし第３突起３４ａ、３４ｂ、３４ｃは、例えば、第１および第２スペーサ３０ａ、３０ｂと同様に、絶縁物質としてガラスを主成分とするスペーサ形成材料により形成されている。
【００３５】
上記のように構成されたスペーサ構体２２は第１基板１０および第２基板１２間に配設されている。第１および第２スペーサ３０ａ、３０ｂは、第１基板１０および第２基板１２の内面に当接することにより、これらの基板に作用する大気圧荷重を支持し、基板間の間隔を所定値に維持している。
【００３６】
第２の実施形態において、他の構成は前述した第１の実施形態と同一であり、同一の部分には同一の参照符号を付してその詳細な説明を省略する。  
以上のように構成された第２の実施形態によれば、前述した第１の実施形態と同様の作用効果を得ることができる。すなわち、第１および第２スペーサ３０ａ、３０ｂの帯電に起因した電子ビームの軌道ずれを第１方向Ｘについては第１および第２突起３４ａ、３４ｂにより補正し、第２方向Ｙについては第３突起３４ｃにより補正することができる。電子ビーム軌道の補正効果、つまり、電子ビームを引き付ける度合いは、突起の突出高さが高い程、大きくなる。従って、第１ないし第３突起３４ａ、３４ｂ、３４ｃの突出高さを調整して補正の度合い最適に設定することにより、電子ビームの軌道ずれを抑制し、目標の蛍光体層にランディングさせることができる。これにより、表示画像におけるに色純度の劣化を防止し、表示品位の向上したＳＥＤが得られる。
【００３７】
なお、上述した第１および第２の実施形態において、第１方向Ｘに並んだ突起は、第１および第２突起のみに限らず、必要に応じて増加可能である。第２方向Ｙに並んだ突起も第３突起のみに限らず、必要に応じて増加可能である。更に、突起は、第１方向および第２方向の両方に並んで設ける構成としたが、第１方向および第２方向のいずれか１方向のみに並んで設ける構成としてもよく、この場合においても、突起により電子ビームの軌道ずれを補正することができる。特に、蛍光体層および電子ビーム通過孔の配列ピッチが小さい第１方向Ｘについては、突起による電子ビームの軌道補正が有効となる。上述した第１の実施形態では、スペーサ３０および第１ないし第３突起３４ａ、３４ｂ、３４ｃを支持基板２４上に立設する構成としたが、支持基板を省略し、スペーサおよび突起を第１基板１０の内面に直接立設する構成としてもよい。
【００３８】
その他、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３９】
スペーサの形状、寸法、突起の形状、寸法、その他の構成要素の寸法、材質等は上述した実施形態に限定されることなく、必要に応じて適宜選択可能である。この発明は、電子源として表面伝導型電子放出素子を用いたものに限らず、電界放出型、カーボンナノチューブ等の他の電子源を用いた画像表示装置にも適用可能である。
【図面の簡単な説明】
【００４０】
【図１】この発明の第１の実施形態に係るＳＥＤを示す斜視図。
【図２】図１の線Ａ−Ａに沿って破断した上記ＳＥＤの斜視図。
【図３】前記ＳＥＤを拡大して示す断面図。
【図４】前記ＳＥＤの支持基板、スペーサおよび突起を示す平面図。
【図５】前記ＳＥＤにおける電子ビームの軌道補正状態を概略的に示す平面図。
【図６】この発明の第２の実施形態に係るＳＥＤを一部破断して示す斜視図。
【図７】前記第２の実施形態に係るＳＥＤを拡大して示す断面図。
【符号の説明】
【００４１】
１０…第１基板、  １２…第２基板、  １４…側壁、  １５…真空外囲器、
１６…蛍光体スクリーン、  １８…電子放出素子、  ２２…スペーサ構体、
２４…支持基板、  ２６…電子ビーム通過孔、  ３０…スペーサ、
３０ａ…第１スペーサ、  ３０ｂ…第２スペーサ、  ３４ａ…第１突起、
３４ｂ…第２突起、  ３４ｃ…第３突起
【図１】
2006032069.tif 000003
【図２】
2006032069.tif 000004
【図３】
2006032069.tif 000005
【図４】
2006032069.tif 000006
【図５】
2006032069.tif 000007
【図６】
2006032069.tif 000008
【図７】
2006032069.tif 000009